(57)【特許請求の範囲】
【請求項１】
固定窓板の開口部に差込まれる差込位置と、前記開口部から室内側に抜出される抜出位置と、前記抜出位置から抜差方向とは異なるスライド方向にずれ前記開口部を開放する開放位置との間の可動窓板の移動に用いられる窓用装置であって、
前記可動窓板に対し所定位置で回転自在に支持される回転軸と、
前記回転軸の回転を、前記可動窓板の前記差込位置と前記抜出位置の間の移動に変換する運動変換機構と、
前記回転軸に対し固定されており、前記回転軸の中心線を中心に旋回することで、前記回転軸の中心線を中心に前記回転軸を回転させる駆動軸とを有し、
前記運動変換機構は、前記回転軸に固定されるカムと、前記固定窓板に固定される固定ガイドとを有し、
前記固定ガイドは、前記カムを案内するカムガイド溝を有し、前記カムガイド溝の室内側の壁面で前記カムの外周面と接触し、
前記カムガイド溝の室内側の壁面は、前記固定窓板の主表面に対し平行とされ、
前記カムガイド溝の室内側の壁面と、前記回転軸の中心線との距離が、前記回転軸の回転角に応じて変化し、
前記可動窓板が前記差込位置にある時、前記カムガイド溝の室内側の壁面は、前記固定窓板の主表面に対し垂直な線であって前記回転軸の中心線を通る線を基準線とすると、前記基準線を挟んで左右両側で前記カムの外周面と接触する、窓用装置。
【請求項２】
前記カムには前記回転軸の延長軸が設けられており、前記固定ガイドは前記カムガイド溝の溝底面に前記延長軸を案内する軸ガイド溝を有する、請求項１に記載の窓用装置。
【請求項３】
前記可動窓板を前記抜出位置と前記開放位置との間でスライドさせる間、前記延長軸を前記軸ガイド溝の室外側の壁面に押し付けると共に、前記カムを前記カムガイド溝の室内側の壁面に押し付ける弾性部材を有する、請求項２に記載の窓用装置。
【請求項４】
前記カムは外周に嵌合凸部を有し、前記固定ガイドは前記カムガイド溝の室内側の壁面に嵌合凹部を有し、
前記可動窓板を前記抜出位置と前記開放位置との間でスライドさせる途中で、前記弾性部材の弾性復元力によって、前記嵌合凸部が前記嵌合凹部に嵌り込む、請求項３に記載の窓用装置。
【請求項５】
前記固定ガイドは、前記カムガイド溝の室外側の壁面に、前記カムの外周面と接触する凸部を有し、
前記カムは、前記凸部を乗り越えることで、向きを変える、請求項１〜４のいずれか１項に記載の窓用装置。
【請求項６】
前記カムには、前記延長軸と、前記延長軸に対し偏心しており前記延長軸よりも小さい偏心軸とが設けられており、
前記偏心軸は、前記延長軸と共に前記軸ガイド溝に挿入されている、請求項２〜４のいずれか１項に記載の窓用装置。
【請求項７】
前記可動窓板は、前記回転軸の所定方向の回転によって、前記差込位置から前記差込位置よりも室外側の突出位置を経由して前記抜出位置まで移動する、請求項１〜６のいずれか１項に記載の窓用装置。
【発明の詳細な説明】
【技術分野】
【０００１】
本発明は、窓用装置に関する。
【背景技術】
【０００２】
特許文献１に記載の車体に形成された開口を閉鎖する装置は、車体に形成された開口の縁に付着される固定パネルと、固定パネルに形成された開口を閉じるパネル（以下、可動パネルと呼ぶ）とを具備する。可動パネルは、固定パネルの開口を閉じる位置から室内側に移動することで、固定パネルの開口を開く。
【先行技術文献】
【特許文献】
【０００３】
【特許文献１】特開平９−１７５１７１号公報
【発明の概要】
【発明が解決しようとする課題】
【０００４】
従来、固定窓板の開口に対する可動窓板の抜差しに、大きな操作力が必要であった。
【０００５】
本発明は、上記課題に鑑みてなされたものであって、固定窓板の開口に対する可動窓板の抜差しに要する操作力を低減した、窓用装置の提供を主な目的とする。
【課題を解決するための手段】
【０００６】
上記課題を解決するため、本発明の一態様によれば、
固定窓板の開口部に差込まれる差込位置と、前記開口部から室内側に抜出される抜出位置と、前記抜出位置から抜差方向とは異なるスライド方向にずれ前記開口部を開放する開放位置との間の可動窓板の移動に用いられる窓用装置であって、
前記可動窓板に対し所定位置で回転自在に支持される回転軸と、
前記回転軸の回転を、前記可動窓板の前記差込位置と前記抜出位置の間の移動に変換する運動変換機構と、
前記回転軸に対し固定されており、前記回転軸の中心線を中心に旋回することで、前記回転軸の中心線を中心に前記回転軸を回転させる駆動軸とを有し、
前記運動変換機構は、前記回転軸に固定されるカムと、前記固定窓板に固定される固定ガイドとを有し、
前記固定ガイドは、前記カムを案内するカムガイド溝を有し、前記カムガイド溝の室内側の壁面で前記カムの外周面と接触し、
前記カムガイド溝の室内側の壁面は、前記固定窓板の主表面に対し平行とされ、
前記カムガイド溝の室内側の壁面と、前記回転軸の中心線との距離が、前記回転軸の回転角に応じて変化し、
前記可動窓板が前記差込位置にある時、前記カムガイド溝の室内側の壁面は、前記固定窓板の主表面に対し垂直な線であって前記回転軸の中心線を通る線を基準線とすると、前記基準線を挟んで左右両側で前記カムの外周面と接触する、窓用装置が提供される。
【発明の効果】
【０００７】
本発明の一態様によれば、固定窓板の開口に対する可動窓板の抜差しに要する操作力を低減した、窓用装置が提供される。
【図面の簡単な説明】
【０００８】
【図１】第１実施形態による窓用装置の全体を示す図である。
【図２】図１の窓用装置の要部を拡大して示す図である。
【図３】図２のIII-III線に沿った断面図である。
【図４】第１実施形態による可動窓板の位置が差込位置である時の窓用装置の状態を示す断面図である。
【図５】第１実施形態による可動窓板の位置が突出位置である時の窓用装置の状態を示す断面図である。
【図６】第１実施形態による可動窓板の位置が抜出位置である時の窓用装置の状態を示す断面図である。
【図７】第２実施形態による可動窓板の位置が差込位置である時の窓用装置の状態を示す断面図である。
【図８】第２実施形態による可動窓板の位置が突出位置である時の窓用装置の状態を示す断面図である。
【図９】第２実施形態による可動窓板の位置が抜出位置である時の窓用装置の状態を示す断面図である。
【図１０】変形例による運動変換機構を示す断面図である。
【発明を実施するための形態】
【０００９】
以下、本発明を実施するための形態について図面を参照して説明するが、各図面において、同一の又は対応する構成については同一の又は対応する符号を付して説明を省略する。各図面において、Ｘ方向は抜差方向、Ｙ方向はＸ方向とは異なる方向であってスライド方向、Ｚ方向はＸ方向およびＹ方向とは異なる方向である。各図面において、Ｘ方向と、Ｙ方向と、Ｚ方向とは、互いに垂直であるが、互いに垂直ではなく斜めでもよい。
【００１０】
なお、本明細書において、「回転」とは、回転軸がその対象物内にある場合を示す。「旋回」とは、回転軸がその対象物外にある場合を示す。
【００１１】
［第１実施形態］
図１は、第１実施形態による窓用装置の全体を示す図である。図１において、実線は可動窓板２０の位置が差込位置である時の状態を示し、二点鎖線は可動窓板２０の位置が開放位置である時の状態を示す。図２は、図１の窓用装置の要部を拡大して示す図である。図３は、図２のIII-III線に沿った断面図である。図１〜図３において、便宜上、図４〜図６に示すシール部材の図示を省略する。図４は、第１実施形態による可動窓板の位置が差込位置である時の窓用装置の状態を示す断面図である。図４（Ａ）は図３のIVA-IVA線に沿った断面図であって回転軸と駆動軸との関係を示す断面図である。図４（Ｂ）は図３のIVB-IVB線に沿った断面図であって固定ガイドとカムとの関係を示す断面図である。図５は、第１実施形態による可動窓板の位置が突出位置である時の窓用装置の状態を示す断面図である。図５（Ａ）は回転軸と駆動軸との関係を示す断面図である。図５（Ｂ）は固定ガイドとカムとの関係を示す断面図である。図６は、第１実施形態による可動窓板の位置が抜出位置である時の窓用装置の状態を示す断面図である。図６（Ａ）は回転軸と駆動軸との関係を示す断面図である。図６（Ｂ）は固定ガイドとカムとの関係を示す断面図である。図４〜図６において、固定窓板１０を基準として、上側が室外側、下側が室内側である。また、図４〜６において、回転軸の回転角や旋回軸の旋回角を視覚的に理解できるように、操作部材６２などをＺ方向に投影して二点鎖線で示す。
【００１２】
固定窓板１０は、例えば車両などの乗り物の開口部、または建物の開口部などに取付けられる。以下、本明細書では、車両の開口部に取り付けられた場合を示す。固定窓板１０は、ガラスや樹脂などの透明材料で形成される。固定窓板１０は、単層構造、複層構造のいずれでもよい。固定窓板１０は、開口部１２（図４〜図６参照）を有する。
【００１３】
可動窓板２０は、固定窓板１０と同様に、ガラスや樹脂などの透明材料で形成される。可動窓板２０は、固定窓板１０の開口部１２に差込まれる。このとき、シール部材２２（図４〜図６参照）が、固定窓板１０と可動窓板２０との隙間をシールする。シール部材２２は、可動窓板２０の外縁に沿って取付けられており、例えば後述のブラケット２４に取付けられている。
【００１４】
可動窓板２０は、固定窓板１０の開口部１２に差込まれる差込位置と、当該差込位置からＸ方向にずれ開口部１２から抜出される抜出位置と、当該抜出位置からＹ方向にずれ開口部１２を開放する開放位置との間で移動する。可動窓板２０は、差込位置において、図４（Ａ）に示すように固定窓板１０に対し面一とされ、固定窓板１０に対し連続的な面を形成する。走行風などの騒音を低減できる。
【００１５】
窓用装置は、固定窓板１０に対する可動窓板２０の移動に用いられる。窓用装置は、例えば、回転軸４０と、運動変換機構５０と、駆動軸６０と、弾性部材７０とを有する。
【００１６】
回転軸４０は、可動窓板２０に対し所定位置で回転自在に支持される。例えば可動窓板２０にはブラケット２４が取付けられており、ブラケット２４が回転軸４０を回転自在に支持する。回転軸４０の軸方向は、Ｚ方向である。
【００１７】
運動変換機構５０は、回転軸４０の回転を、可動窓板２０の差込位置と抜出位置の間の移動に変換する。運動変換機構５０の詳細については後述する。
【００１８】
駆動軸６０は、連結リンク６１を介して回転軸４０に対し固定されており、回転軸４０の中心線を中心に旋回することで、回転軸４０の中心線を中心に回転軸４０を回転させる。駆動軸６０の軸方向は、Ｚ方向である。
【００１９】
ところで、回転軸４０を回転させるトルクは、操作力と回転軸４０の中心線からの距離との積で表される。
【００２０】
本実施形態によれば、乗員は回転軸４０を回転させる際、駆動軸６０を使って回転軸４０を回転させることが可能である。その場合、操作力は駆動軸６０に付与され、駆動軸６０の中心線が回転軸４０の中心線に対し平行にずれている分、回転軸４０の中心線からの距離が大きい。よって、回転軸４０を回転させるトルクが同じ場合、回転軸４０自体に操作力を付与して回転軸４０を回転させるよりも、操作力を低減できる。
【００２１】
駆動軸６０の本数は、図１に示すように例えば２本である。２本の駆動軸６０は、同期リンク６３で連結されており、同時に同じ角度で旋回する。可動窓板２０に対する同期リンク６３のＸ方向の可動範囲は図４〜図６に示すように狭く、窓用装置の小型化が可能である。
【００２２】
一方の駆動軸６０には、図１に示すように、操作力を与える操作部材６２が取付けられている。例えば、操作部材６２は乗員が操作するハンドルなどであってよい。操作部材６２は、駆動軸６０に取付けられるので、回転軸４０に取付けられる場合に比べて、駆動軸６０と回転軸４０の中心線からの距離の分だけ、操作部材６２の長さを短くできる。可動窓板２０の周囲の構造に対する操作部材６２の室内側への突き出しを抑制できる。
【００２３】
各駆動軸６０の軸方向両端部に、それぞれ、連結リンク６１を介して回転軸４０が連結されている。回転軸４０の本数は、例えば、可動窓板２０の四隅に配置される場合は４本である。
【００２４】
尚、駆動軸６０の本数や回転軸４０の本数は特に限定されない。駆動軸６０の本数は１本以上であればよい。同様に回転軸の本数は１本以上であればよい。
【００２５】
弾性部材７０は、回転軸４０を図４〜図６中時計回りに付勢する。弾性部材７０としては、例えばねじりコイルばねが用いられる。ねじりコイルばねの一端部がブラケット２４に固定され、ねじりコイルばねの他端部が連結リンク６１に固定されている。ねじりコイルばねのコイル部は、回転軸４０を取り囲んでいる。
【００２６】
運動変換機構５０は、上述の如く、回転軸４０の回転を、可動窓板２０の差込位置と抜出位置の間の移動に変換する。運動変換機構５０は、例えばカム５２と、固定ガイド５４とを含む。カム５２は、図４〜図６に示すように、回転軸４０に固定され、回転軸４０と共に回転する。固定ガイド５４は、固定窓板１０に固定され、カム５２を案内するカムガイド溝５５を有し、カムガイド溝５５の室内側の壁面５５ａでカム５２の外周面と接触する。カムガイド溝５５の室内側の壁面５５ａは、固定窓板１０の主表面に対し平行とされている。ここで「平行」とは、厳密な意味の平行に限定されず、機能を妨げない範囲でのずれは許容する。
【００２７】
図４〜図６に示すように、駆動軸６０を旋回させることで回転軸４０を回転させる間、カムガイド溝５５の室内側の壁面５５ａがカム５２の外周面と常に接触している。そのため、カムガイド溝５５の室内側の壁面５５ａと、回転軸４０の中心線との距離Ｌが、回転軸４０の回転角に応じて変化する。距離Ｌは、Ｘ方向に計測する。距離Ｌの変化に応じて、可動窓板２０が差込位置と抜出位置との間で移動する。
【００２８】
図４（Ａ）に示すように可動窓板２０が差込位置にある時、図４（Ｂ）に示すようにカムガイド溝５５の室内側の壁面５５ａは基準線ＳＬを挟んで左右両側の２点でカム５２の外周面と接触する。ここで、基準線ＳＬとは、固定窓板１０の主表面に対し垂直な線であって、回転軸４０の中心線を通る線である。この状態で、可動窓板２０の室外側の主表面が室内側に向けて押されると、可動窓板２０に対し所定位置で回転自在に支持される回転軸４０が基準線ＳＬに沿って室内側に押される。このとき、回転軸４０に固定されたカム５２は、基準線ＳＬを挟んだ左右両側で、カムガイド溝５５の室内側の壁面５５ａに押し返される。よって、カム５２の回転を防止でき、可動窓板２０の抜出位置への移動を防止でき、外部からの侵入を防止できる。
【００２９】
尚、可動窓板２０が差込位置にある時、カムガイド溝５５の室内側の壁面５５ａがカム５２の外周面と点接触するが、面接触してもよい。可動窓板２０が差込位置にある時、カムガイド溝５５の室内側の壁面５５ａが基準線ＳＬを挟んで左右両側でカム５２の外周面と接触すればよい。
【００３０】
固定ガイド５４はカムガイド溝５５の室外側の壁面５５ｂに凸部５６を有し、可動窓板２０を差込位置と抜出位置との間で移動させる間に、カム５２が凸部５６を乗り越える。これにより、カム５２の向きを確実に変更できる。
【００３１】
固定ガイド５４は、カムガイド溝５５の溝底面５５ｃに、回転軸４０の延長軸４１を案内する軸ガイド溝５７を有する。可動窓板２０を抜出位置と開放位置との間でＹ方向にスライドさせる間、弾性部材７０は、回転軸４０を所定の回転方向（図４〜図６において時計回り）に付勢することで、延長軸４１を軸ガイド溝５７の室外側の壁面５７ｂに押し付けると共に、カム５２をカムガイド溝５５の室内側の壁面５５ａに押し付ける。これにより、ガタを無くすことができ、可動窓板２０の振動を抑制できる。
【００３２】
次に、図１〜図６を再度参照して、上記構成の窓用装置の操作について説明する。先ず、可動窓板２０を差込位置から抜出位置を経て開放位置に移動させる場合の操作について説明する。
【００３３】
操作者は、弾性部材７０の弾性復元力などに抗して操作部材６２を操作することで、回転軸４０の中心線を中心に駆動軸６０を図４（Ａ）に示す位置から図６（Ａ）に示す位置まで反時計回りに旋回させる。その結果、回転軸４０が、図４（Ａ）に示す位置から図６（Ａ）に示す位置まで反時計回りに回転される。
【００３４】
駆動軸６０を反時計回りに旋回させる間、図４（Ｂ）〜図６（Ｂ）に示すように、カムガイド溝５５の室内側の壁面５５ａがカム５２の外周面と常に接触しており、カムガイド溝５５の室内側の壁面５５ａと回転軸４０の中心線との距離Ｌが回転軸４０の回転角に応じて変化する。距離Ｌの変化に応じて、可動窓板２０が差込位置から抜出位置に移動する。
【００３５】
駆動軸６０を反時計回りに旋回させる間、駆動軸６０の中心線は、回転軸４０の中心線よりも室内側に位置しており、途中で、基準線ＳＬを通る（図５（Ｂ）参照）。この時、距離Ｌが最大となり、可動窓板２０が突出位置に位置する。
【００３６】
このように、可動窓板２０は、図４（Ａ）に示す差込位置から、差込位置よりも室外側の突出位置（図５（Ａ）参照）を経由して、差込位置よりも室内側の抜出位置（図６（Ａ）参照）まで移動する。可動窓板２０が差込位置から室外側に一旦移動し、可動窓板２０と固定窓板１０との境界付近に付いた雪や霜、水滴などの付着物が室外側に落ちた後、可動窓板２０が室内側に移動する。よって、付着物の室内への侵入を抑制できる。
【００３７】
その後、操作者は、操作部材６２などを図１中右方向に押すことで、可動窓板２０を抜出位置から開放位置までＹ方向にスライドさせる。
【００３８】
次に、可動窓板２０を開放位置から抜出位置を経て差込位置に移動させる場合の、窓用装置の操作について説明する。
【００３９】
操作者は、操作部材６２などを図１中左方向に押すことで、可動窓板２０を開放位置から抜出位置までＹ方向にスライドさせる。
【００４０】
その後、操作者は、シール部材２２の弾性復元力などに抗して操作部材６２を操作することで、回転軸４０の中心線を中心に駆動軸６０を図６（Ａ）に示す位置から図４（Ａ）に示す位置まで時計回りに旋回させる。その結果、回転軸４０が、その中心線を中心に図６（Ａ）に示す位置から図４（Ａ）に示す位置まで時計回りに回転される。
【００４１】
駆動軸６０を時計回りに旋回させる間、図６（Ｂ）〜図４（Ｂ）に示すように、カムガイド溝５５の室内側の壁面５５ａがカム５２の外周面と常に接触しており、カムガイド溝５５の室内側の壁面５５ａと回転軸４０の中心線との距離Ｌが回転軸４０の回転角に応じて変化する。距離Ｌの変化に応じて、可動窓板２０が抜出位置から差込位置に移動する。
【００４２】
駆動軸６０を時計回りに旋回させる間、駆動軸６０の中心線は、回転軸４０の中心線よりも室内側に位置しており、途中で、基準線ＳＬを通る（図５（Ｂ）参照）。この時、距離Ｌが最大となり、可動窓板２０が突出位置に位置する。
【００４３】
このように、可動窓板２０は、図６（Ａ）に示す抜出位置から、図５（Ａ）に示す突出位置を経由して、図４（Ａ）に示す差込位置まで移動する。可動窓板２０は、差込位置に位置する時、固定窓板１０に対し面一とされ、固定窓板１０に対し連続的な面を形成する。走行風などの騒音を低減できる。
【００４４】
［第２実施形態］
本実施形態の窓用装置は、上記第１実施形態の窓用装置とは異なる運動変換機構５０Ａを有する。以下、図７〜図９を参照して、相違点について主に説明する。
【００４５】
図７は、第２実施形態による可動窓板の位置が差込位置である時の窓用装置の状態を示す断面図であって、図４（Ｂ）に相当する断面図である。図８は、第２実施形態による可動窓板の位置が突出位置である時の窓用装置の状態を示す断面図であって、図５（Ｂ）に相当する断面図である。図９は、第２実施形態による可動窓板の位置が抜出位置である時の窓用装置の状態を示す断面図であって、図６（Ｂ）に相当する断面図である。
【００４６】
運動変換機構５０Ａは、回転軸４０の回転を、可動窓板２０の差込位置と抜出位置の間の移動に変換する。運動変換機構５０Ａは、例えばカム５２と、固定ガイド５４とを含む。
【００４７】
カム５２は、図７〜図９に示すように、回転軸４０に固定され、回転軸４０と共に回転する。カム５２には、延長軸４１の他に、偏心軸４２が設けられている。
【００４８】
偏心軸４２は、延長軸４１と共に軸ガイド溝５７に挿入されている。偏心軸４２は、延長軸４１に対し偏心しており、延長軸４１よりも小さい軸径を有する。偏心軸４２の直径は軸ガイド溝５７の溝幅よりも小さいので、カム５２の回転が可能である。
【００４９】
固定ガイド５４は、固定窓板１０に固定される。固定ガイド５４は、カム５２を案内するカムガイド溝５５を有する。固定ガイド５４は、カムガイド溝５５の室内側の壁面５５ａで、カム５２の外周面と基本的に接触するが、可動窓板２０を差込位置と抜出位置との間で移動させる間の途中でカム５２の外周面と接触しない。その代わりに、固定ガイド５４は、軸ガイド溝５７の壁面で、延長軸４１および偏心軸４２の少なくとも一方の外周面と接触する。
【００５０】
以上説明したように、駆動軸６０を旋回させることで回転軸４０を回転させる間、固定ガイド５４は、カム５２、延長軸４１および偏心軸４２の少なくとも１つの外周面に常に接触している。そのため、カムガイド溝５５の室内側の壁面５５ａと、回転軸４０の中心線との距離Ｌが、回転軸４０の回転角に応じて変化する。距離Ｌの変化に応じて、可動窓板２０が差込位置と抜出位置との間で移動する。
【００５１】
可動窓板２０が差込位置にある時、カムガイド溝５５の室内側の壁面５５ａは基準線ＳＬを挟んで左右両側でカム５２の外周面と接触する。この状態で、可動窓板２０の室外側の主表面が室内側に向けて押されると、可動窓板２０に対し所定位置で回転自在に支持される回転軸４０が基準線ＳＬに沿って室内側に押される。このとき、回転軸４０に固定されたカム５２は、基準線ＳＬを挟んだ左右両側で、カムガイド溝５５の室内側の壁面５５ａに押し返される。よって、カム５２の回転を防止でき、可動窓板２０の抜出位置への移動を防止でき、外部からの侵入を防止できる。
【００５２】
固定ガイド５４は、カムガイド溝５５の溝底面５５ｃに、回転軸４０の延長軸４１および偏心軸４２を案内する軸ガイド溝５７を有する。可動窓板２０を抜出位置と開放位置との間でＹ方向にスライドさせる間、弾性部材７０は回転軸４０を所定の回転方向（図７〜９において時計回り）に付勢することで、延長軸４１を軸ガイド溝５７の室外側の壁面５７ｂに押し付けると共に、カム５２をカムガイド溝５５の室内側の壁面５５ａに押し付ける。これにより、ガタを無くすことができ、可動窓板２０の振動を抑制できる。
【００５３】
尚、本実施形態の窓用装置の操作については、上記第１実施形態の窓用装置の操作と同様であるので、説明を省略する。
【００５４】
以上、窓用装置の実施形態等について説明したが、本発明は上記実施形態等に限定されるものではなく、特許請求の範囲に記載された本発明の要旨の範囲内において、種々の変形、改良が可能である。
【００５５】
例えば図１０に示すように、カム５２は外周に嵌合凸部５３を有し、固定ガイド５４はカムガイド溝５５の室内側の壁面５５ａに嵌合凹部５８を有してよい。可動窓板２０を抜出位置と開放位置との間でＹ方向にスライドさせる途中で、弾性部材７０の弾性復元力によって嵌合凸部５３が嵌合凹部５８に嵌り込む。よって、可動窓板２０を抜出位置と開放位置との間の特定の位置で一時停止させることができる。
【００５６】
可動窓板２０を再びＹ方向にスライドさせる場合、操作者は弾性部材７０の弾性復元力に抗して操作部材６２を操作し、駆動軸６０を図１０中反時計回りに旋回させる。これにより、回転軸４０が図１０中反時計回りに回転し、嵌合凸部５３が嵌合凹部５８から抜ける。
【００５７】
尚、図１０において、カム５２には延長軸４１に加えて偏心軸４２が設けられてもよい。
【符号の説明】
【００５８】
１０  固定窓板
２０  可動窓板
４０  回転軸
４１  延長軸
４２  偏心軸
５０  運動変換機構
５２  カム
５３  嵌合凸部
５４  固定ガイド
５５  カムガイド溝
５６  凸部
５７  軸ガイド溝
５８  嵌合凹部
６０  駆動軸
７０  弾性部材
【図１】
0006613963.tif 000002
【図２】
0006613963.tif 000003
【図３】
0006613963.tif 000004
【図４】
0006613963.tif 000005
【図５】
0006613963.tif 000006
【図６】
0006613963.tif 000007
【図７】
0006613963.tif 000008
【図８】
0006613963.tif 000009
【図９】
0006613963.tif 000010
【図１０】
0006613963.tif 000011